(57)【要約】【課題】電磁波遮蔽装置において、ドア板と対向する加熱室前板が傾斜し、加熱室とドア間の隙間が拡がる場合においても、安定した電磁波遮蔽性能を実現する。【解決手段】加熱室外へのマイクロ波の漏洩を抑制するために、ドアに設けられた電磁波遮蔽機構の遮蔽溝を複数設けることで、単一溝の場合のように遮蔽される周波数のピークが一つではなく、複数の周波数のマイクロ波を遮蔽することができ、遮蔽帯域幅が広くなり、結果として電磁波遮蔽性能を向上することで、ドアと対向する加熱室前板が傾斜している場合においても安定した電磁波遮蔽性能を維持することが可能となる。【選択図】図１
2016006378.tif 000002
【特許請求の範囲】
【請求項１】
食品を高周波加熱する加熱室の開口部に開閉自在に設けられたドアにおいて、
前記ドアはその周縁部に複数のスリットを形成する複数の電磁波遮蔽溝が設けられており、
前記ドアと対向する前記加熱室前板が前記加熱室から外側に向かって前記ドアとの間隔が広がるように傾斜している構成とした電磁波遮蔽装置。
【発明の詳細な説明】
【技術分野】
【０００１】
本発明は、被加熱物を高周波で加熱する高周波加熱装置の電磁波遮蔽装置に関するものである。
【背景技術】
【０００２】
高周波により対象物を加熱処理する高周波加熱装置の代表的な例としては、電子レンジがある。電子レンジにおいては、マグネトロンなどのマイクロ波発生器で発生したマイクロ波が金属製の加熱室の内部に放射され、加熱室内部の被加熱物が放射されたマイクロ波により誘電加熱される。
【０００３】
従来より、加熱室に放射されたマイクロ波が、加熱室と加熱室の開口部に設けられたドアの間を伝搬して加熱室外へ漏洩しないように、ドアには電磁波遮蔽機構が設けられている。さらに、板金の曲げ加工の際、加工しやすい構造と寸法管理がしやすい構造により電磁波遮蔽装置の形成が簡便で、遮蔽性能を安定させる構成も提案されている（例えば特許文献１参照）。
【０００４】
ただし、これらの先行例では、電磁波遮蔽装置が設けられたドアに対向する加熱室前板は、ドアと平行に設けられるように想定されており、加熱室前板が傾斜して設置されるなど、加熱室とドア間の隙間が拡がる場合においては、漏洩するマイクロ波を遮蔽する性能が不十分である。
【先行技術文献】
【特許文献】
【０００５】
【特許文献１】特許第３３１６９０８号
【発明の概要】
【発明が解決しようとする課題】
【０００６】
前記従来の構成では、ドアに対向する加熱室前板が、ドア板と平行に設けられるのではなく、傾斜して設けられるなど加熱室とドア間の隙間が拡がる場合において、電磁波遮蔽性能が十分ではない場合があった。
【０００７】
そのため、本発明は前記従来の事情を鑑みてなされたもので、電磁波遮蔽性能を高めることで、従来不十分であったドアと対向する加熱室前板が傾斜している場合にも、マイクロ波の漏洩を抑制することができる電磁波遮蔽装置を提供することを目的とする。
【課題を解決するための手段】
【０００８】
前記従来の課題を解決するために、本発明の電磁波遮蔽装置は、食品を高周波加熱する加熱室の開口部に開閉自在に設けられたドアにおいて、前記ドアはその周縁部に複数のスリットを形成する複数の電磁波遮蔽溝が設けられており、前記ドアと対向する前記加熱室前板が前記加熱室から外側に向かって前記ドアとの間隔が広がるように傾斜している構成としている。
【０００９】
上記構成のように、傾斜した加熱室前板に、第一の電磁波遮蔽溝、第二の電磁波遮蔽溝のように複数の遮蔽溝を設けることにより、電磁波遮蔽性能を向上させ、ドアと加熱室前板との隙間が拡がった状態でも、安定して電磁波の漏洩を抑制することが可能となる。
【発明の効果】
【００１０】
ドアと加熱室前板の隙間から漏洩する電磁波の遮蔽性能を向上させることで、加熱室とドアの隙間が拡がった構成においても電磁波漏洩を抑制することができる。
【図面の簡単な説明】
【００１１】
【図１】本発明の実施の形態１における電磁波遮蔽装置１０１の断面図
【発明を実施するための形態】
【００１２】
第１の発明の電磁波遮蔽装置は、食品を高周波加熱する加熱室の開口部に開閉自在に設けられたドアにおいて、前記ドアはその周縁部に複数のスリットを形成する複数の電磁波遮蔽溝が設けられており、前記ドアと対向する前記加熱室前板が前記加熱室から外側に向かって前記ドアとの間隔が広がるように傾斜している構成とすることにより、漏洩電磁波の遮蔽性能を向上させ、前記加熱室前板とドアとの隙間が拡がった際にも、電磁波の漏洩を抑制することが可能になる。
【００１３】
以下、本発明に関わる電磁波遮蔽装置１０１の好適な実施の形態について、添付の図面を参照しながら説明する。
【００１４】
なお、以下の実施の形態の電磁波遮蔽装置１０１においては電子レンジのマイクロ波遮蔽装置について説明するが、電子レンジは例示であり、本発明の電磁波遮蔽装置１０１は電子レンジ用の遮蔽装置に限定されるものではなく、誘電加熱を利用した加熱装置、生ゴミ処理機、あるいは半導体製造装置などのマイクロ波加熱装置での電磁波遮蔽装置１０１を含むものである。
【００１５】
また、本発明は、以下の実施の形態の具体的な構成に限定されるものではなく、同様の技術的思想に基づく構成が本発明に含まれる。
【００１６】
（実施の形態１）
図１は、本発明の実施の形態１における電磁波遮蔽装置１０１の断面図である。図１において、電磁波遮蔽装置１０１は、ドア１０２、加熱室前板１０３、ドアの周縁部には、第一の電磁波遮蔽溝１０４、第二の電磁波遮蔽溝１０５、およびスリット１０６で構成されている。
【００１７】
なお、ここでは図示していないが、ドア１０２は電子レンジのドアを、加熱室１０７は食品を高周波加熱する電子レンジの加熱室を意味する。ドア１０２は加熱室の開口部に開閉自在に設けられている。
【００１８】
この電子レンジにおいて、図示しないマグネトロンなどのマイクロ波発生器で発生したマイクロ波が図示しない金属製の加熱室１０７の内部に放射され、この加熱室１０７内部の被加熱物が放射されたマイクロ波により誘電加熱される構成になっている。
【００１９】
マイクロ波により被加熱物を加熱する加熱室１０７の開口部に開閉自在に取り付けられるドア１０２と、ドア１０２に対向し、加熱室１０７から外側に向かってドア１０２との間隔が広がるように傾斜して設けられる加熱室前板１０３とがあり、加熱室１０７内に放射されたマイクロ波の一部は、加熱室１０７とドア１０２の間にできる隙間から漏洩してしまう。この漏洩するマイクロ波を遮蔽するためにドア１０２には電磁波遮蔽装置１０１が設けられる。
【００２０】
この電磁波遮蔽装置１０１は、第一の電磁波遮蔽溝１０４と、第二の電磁波遮蔽溝１０５と、遮蔽溝の長手方向に設けられるスリット１０６とを有して構成されており、遮蔽溝の中のマイクロ波が伝搬する距離を使用周波数における波長λの１／４にすることで、マイクロ波の合成による打ち消しで遮蔽溝の入り口のインピーダンスを無限大にしてマイクロ波の遮蔽を行うことができるものである。
【００２１】
遮蔽溝の中のマイクロ波が伝搬する距離により、遮蔽を行える周波数が決まるため、遮蔽溝一つにつき、遮蔽周波数のピークは一つとなる。遮蔽溝を複数にすると、遮蔽周波数のピークも複数の値を持つため、遮蔽帯域幅が広くなり、電磁波遮蔽性能が高くなる。
【００２２】
また、長手方向にも周期的なスリット１０６構造を設けることにより、長手方向のマイクロ波の伝搬を遮蔽し、遮蔽性能を高めることが出来る。上記のことから、第一の電磁波遮蔽溝１０４と、第二の電磁波遮蔽溝１０５とを設け、長手方向にもスリット１０６を設けることにより、電磁波の遮蔽性能を高めた構成となっているため、加熱室前板１０３と、ドア１０２間の隙間が拡がるように加熱室前板１０３を傾斜させた場合でも安定した遮蔽性能を実現することが出来る構成となっている。
【００２３】
以上より、ドア１０１と対向する加熱室前板１０３が傾斜した構成において、電磁波遮蔽装置１０１が、第一の電磁波遮蔽溝１０４および第二の電磁波遮蔽溝１０５のように、複数の遮蔽溝で構成されていることで、加熱室とドア１０１の間から漏洩するマイクロ波を抑制することが可能となる。
【産業上の利用可能性】
【００２４】
以上のように、本発明の電磁波遮蔽装置１０１は、傾斜した加熱室前板１０３が設けられている場合のように、加熱室とドアの隙間が拡がった際にも電磁波遮蔽性能が安定するため、業務用のマイクロ波加熱装置や殺菌装置などに対し、装置外へのマイクロ波の漏洩を抑制するために有効に利用することが出来る。
【符号の説明】
【００２５】
１０１    電磁波遮蔽装置
１０２    ドア
１０３    加熱室前板
１０４    第一の電磁波遮蔽溝
１０５    第二の電磁波遮蔽溝
１０６    スリット
１０７    加熱室
【図１】
2016006378.tif 000003